(57)【要約】      （修正有）【課題】横架材とはり材との間に形成される隙間をなくし、かつ、引っ掛けタイプの階段枠の適用が可能な床付き布わくを提供する。【解決手段】床付き布わくの一対のはり材３、４をそれぞれ、上側フランジ３ａ、４ａと、下側フランジと、ウエブとで構成する。上側フランジは、横架材の上方に隙間を隔てて位置する延出先端部３ａ１、４ａ１を有し、はり材には、上側フランジおよびウエブの幅方向の両端部に切り欠き部６、７、１０ａ、１０ｂを設ける。一方のはり材の切り欠き部６、７は、仮設足場の階段開口部に取り付けられる２つの階段枠の一方の階段枠の下部つかみ金具および／またはもう一方の階段枠の上部つかみ金具を位置させる幅寸法からなり、その切り欠き部の少なくとも１つは、さらに、隣接配置される他の床付き布わくのつかみ金具の１つを位置させる幅寸法を有し、他方のはり材の切り欠き部１０ａ、１０ｂは、隣接配置される他の床付き布わくのつかみ金具の１つのみを位置させる幅寸法を有する。【選択図】図１
0003230795.tif 000002
【実用新案登録請求の範囲】
【請求項１】
一対の短辺および一対の長辺にて取り囲まれた区画領域を、床面または作業面とする床板材と、該床板材の長辺にその全長にわたってそれぞれ一体連結する一対の布板材と、該床板材の短辺にて該床板材および該布板材につながる一対のはり材と、該床板材の四隅において該布板材に取り付けられ、横架材に引っ掛けて該床板材を、布板材、はり材とともに水平姿勢に保持するつかみ金具とを備えた床付き布わくであって、
前記一対のはり材は、それぞれ、前記床板材の上面に固定された上側フランジと、該布板材に固定された下側フランジと、該上側フランジおよび該下側フランジを相互に連結するウエブからなり、
該上側フランジは、該横架材の上方に隙間を隔てて位置する延出先端部を有し、
該はり材は、該上側フランジおよびウエブの幅方向の両端部に形成された切り欠き部を有し、
一方のはり材の切り欠き部は、仮設足場の階段開口部に取り付けられ、上下の各階層へ行き来する際に用いられる２つの階段枠につき、その階段枠の一方の階段枠の下部つかみ金具および／またはもう一方の階段枠の上部つかみ金具を位置させる幅寸法からなり、その切り欠き部の少なくとも1つは、階段枠の下部つかみ金具を位置させる幅寸法に加え、隣接配置される他の床付き布わくのつかみ金具の１つを位置させる幅寸法を有し、他方のはり材の切り欠き部は、隣接配置される他の床付き布わくのつかみ金具の1つのみを位置させる幅寸法を有することを特徴とする床付き布わく。
【請求項２】
前記隙間は、階段枠の上部つかみ金具を挿通させて該上部つかみ金具を前記横架材に引っ掛ける隙間であることを特徴とする請求項１に記載した床付き布わく。
【考案の詳細な説明】
【技術分野】
【０００１】
本考案は、建設工事現場等において構築される仮設足場の通路や作業床を形成するのに用いて好適な床付き布わくに関するものである。
【背景技術】
【０００２】
建設工事現場等の仮設足場の通路や作業床を形成するのに使用される床付き布わくとしては、例えば、特許文献１に見られるように、床材と、布材と、該床材の両端を覆うはり材と、該はり材または布材に取り付けられ、布わくの両端から長さ方向にそれぞれ突出した各一対のつかみ金具とで構成されたものが使用されていた。
【０００３】
かかる床付き布わくは、つかみ金具を、支柱に設けられた横架材に引っ掛けることにより床材を水平姿勢に保持して通路や作業床を形成するものであるが、つかみ金具は、布わくの両端から長さ方向に突出しているため、該つかみ金具を横架材に引っ掛けた状態では、横架材とはり材との間にはつかみ金具の分だけ隙間が形成されることとなり、その隙間から工具等を誤って落下させてしまったり、歩行に際して躓くことがあって、安全面での配慮がなされているとはいえないところに問題が残されていた。
【０００４】
上記の不具合の解消を図った先行技術として特許文献２には、はり材の上部を床材部の外方へ向けて延長したフラットタイプの床付き布わくが提案されており、これによれば、横架材とはり材との間に隙間が形成されることがなく、その隙間からの工具等の落下を防ぐことができるとされていた。しかしながら、特許文献２に提案されている床付き布わくにあっては、仮設足場の各層階との間に階段枠を架け渡す際に、該階段枠の下部つかみ金具が、床付き布わくのはり材、とくに、上側フランジに干渉してしまうのが避けられず、仮設足場の横架材に引っ掛けることができない不具合があり、階段枠の下端部を床付き布わくの床板に設置、固定する、例えば、特許文献３のような階段枠が使用されているのが一般的であるところ、かかる階段枠は、取り付け、取り外しが作業に手間がかかり、仮設足場の効率的な構築、解体を行うのが容易でなく、仮設足場の横架材に上部つかみ金具、下部つかみ金具を引っ掛けて固定、保持する作業性の良好な階段枠を用いることができる床付き布わくの開発が望まれていた。
【先行技術文献】
【特許文献】
【０００５】
【特許文献１】実開昭６０−１８４０号公報
【特許文献２】特許第５３７４１７８号公報
【特許文献３】特許第５１７０５５７号公報
【考案の概要】
【考案が解決しようとする課題】
【０００６】
本考案の目的は、仮設足場の横架材とはり材との間に形成される隙間をなくすことが可能であり、かつ、横架材に階段枠の上部つかみ金具、下部つかみ金具を引っ掛けて固定できる引っ掛けタイプの階段枠の適用を可能とする床付き布わくを提案するところにある。
【課題を解決するための手段】
【０００７】
本考案は、一対の短辺および一対の長辺にて取り囲まれた区画領域を、床面または作業面とする床板材と、該床板材の長辺にその全長にわたってそれぞれ一体連結する一対の布板材と、該床板材の短辺にて該床板材および該布板材につながる一対のはり材と、該床板材の四隅において該布板材に取り付けられ、横架材に引っ掛けて該床板材を、布板材、はり材とともに水平姿勢に保持するつかみ金具とを備えた床付き布わくであって、
前記一対のはり材は、それぞれ、前記床板材の上面に固定される上側フランジと、該布板材に固定される下側フランジと、該上側フランジおよび該下側フランジを相互に連結するウエブからなり、
該上側フランジは、該つかみ金具を該横架材に引っ掛けた状態で該横架材の上方に隙間を隔てて位置する延出先端部を有し、
該はり材は、該上側フランジおよびウエブの幅方向の両端部に切り欠き部を有し、一方のはり材の切り欠き部は、仮設足場の階段開口部に取り付けられ、上下の各階層へ行き来する際に用いられる２つの階段枠につき、その階段枠の一方の階段枠の下部つかみ金具および／またはもう一方の階段枠の上部つかみ金具を位置させる幅寸法からなり、その切り欠き部の少なくとも1つは、階段枠の下部つかみ金具を位置させる幅寸法に加え、隣接配置される他の床付き布わくのつかみ金具の１つを位置させる幅寸法を有し、他方のはり材の切り欠き部は、隣接配置される他の床付き布わくのつかみ金具の1つのみを位置させる幅寸法を有することを特徴とする床付き布わくである。
【０００８】
上記の構成からなる床付き布わくにおいて、前記隙間は、階段枠の上部つかみ金具を挿通させて該上部つかみ金具を前記横架材に引っ掛ける隙間であることが好ましい。
【考案の効果】
【０００９】
本考案によれば、一対のはり材を、床板材の上面に固定される上側フランジと、該布板材に固定される下側フランジと、該上側フランジおよび該下側フランジを相互に連結するウエブにて構成し、該上側フランジに、該つかみ金具を該横架材に引っ掛けた状態で該横架材の上方に隙間を隔てて位置する延出先端部を設けたことにより、はり材の幅方向における寸法に影響を与えることなしに階段枠の上部つかみ金具を仮設足場の横架材に引っ掛けることができる。
【００１０】
また、本考案によれば、はり材の上側フランジおよびウエブの幅方向の両端部に設けられた切り欠き部を通して上方に位置する階段枠の下部つかみ金具および／または下方に位置する上部つかみ金具を仮設足場の横架材に引っ掛けることが可能であり、仮設足場の効率的な構築、解体が可能となる。
【図面の簡単な説明】
【００１１】
【図１】本考案にしたがう床付き布わくの実施の形態を模式的に示した平面図（長手方向の中間領域は省略して表示）である。
【図２】図１に示した床付き布わくの側面図である。
【図３】図１に示した床付き布わくの底面図である。
【図４】図１に示した床付き布わくの要部を拡大して示した図である。
【図５】（ａ）は、図１に示した床付き布わくを構成するはり材の平面を拡大して示した図であり、（ｂ）は、その正面を示した図である。
【図６】（ａ）は、図５の底面を示した図であり、（ｂ）は、図５に示したはり材の側面を示した図である。
【図７】（ａ）は、図１に示した床付き布わくを構成するはり材の平面を拡大して示した図であり、（ｂ）は、その正面を示した図である。
【図８】（ａ）は、図７の底面を示した図であり、（ｂ）は、図７に示したはり材の側面を示した図である。
【図９】仮設足場の階段開口部に２つの階段枠を連続的に架け渡した状態を示した図である。
【図１０】本考案にしたがう床付き布わくの要部を拡大して示した図である。
【図１１】本考案にしたがう床付き布わくを用いた仮設足場において階段枠の上部つかみ金具の取り付け状況を示した図である。
【図１２】本考案にしたがう床付き布わくを用いて構築された仮設足場の階段開口部において。下層階から中層階、中層階から上層階へ連続的に架け渡される２つの階段枠につき、その一方の階段枠の下部つかみ金具を中層階の横架材に引っ掛け、もう一方の階段枠の上部つかみ金具を中層階の横架材に引っ掛けた状態を示した平面図（階段枠の踏板は図示せず）である。
【図１３】図１２に示した仮設足場の側面を示した図である。
【図１４】本考案にしたがう床付き布わくを用いて構築された仮設足場につき、階段枠の下部つかみ金具を横架材に引っ掛けた状態を示した平面図（階段枠の桁材と下部つかみ金具を表示し、踏板は図示せず）である。
【図１５】図１４に示した仮設足場の側面を示した図である。
【考案を実施するための形態】
【００１２】
以下、図面を参照して本考案をより具体的に説明する。なお、本考案にしたがう床付き布わくは、金属製部材（ＳＰＨＣ同等以上の機械的性質をもつ鋼板等）で構成されるものが適用されるがアルミニウム、アルミニウム合金で構成されるものを用いてもよい。
【００１３】
図１は、本考案にしたがう床付き布わくの実施の形態を模式的に示した平面図であり、図２は、図１に示した床付き布わくの側面図であり、図３は、図１に示した床付き布わくの底面図である。また、図４は、図１の要部を拡大して示した図であり、図５（ａ）（ｂ）は、図１に示した床付き布わくを構成するはり材の平面および正面を拡大して示した図であり、図６（ａ）（ｂ）は、図５に示したはり材の底面および側面を拡大して示した図であり、図7（ａ）（ｂ）は、図１に示した床付き布わくを構成するはり材の平面および正面を拡大して示した図であり、図８（ａ）（ｂ）は、図７に示したはり材の底面および側面を拡大して示した図である。
【００１４】
本考案で対象としている床付き布わくは、図９に示すように、仮設足場の階段開口部において、下層階から中層階、中層階から上層階へ連続的に架け渡される２つの階段枠Ｋ１、階段枠Ｋ２につき、その階段枠Ｋ２の下部つかみ金具Ｋ２１を中層階の横架材Ｓに引っ掛け、階段枠Ｋ１の上部つかみ金具１１を中層階の横架材Ｓに引っ掛ける部位に用いて好適なものである。
【００１５】
図１〜８における符号１は、上面に滑り止め用の突起が複数設けられた二枚の板材を並列に配置して構成されたダブルタイプの床板材である。床板材１は、一対の短辺１ａ、１ｂおよび一対の長辺１ｃ、１ｄにて取り囲まれた区画領域を、床面、作業面とする矩形形状をなすもので構成されている。なお、床板材１は、一枚の板材で構成されたシングルタイプのものを用いることもできる。
【００１６】
また、符号２は、床板材１の長辺１ｃ、１ｄにその全長にわたってそれぞれ一体連結する一対の布板材、３、４は、床板材１の短辺１ａ、１ｂにて床板材１および布板材２につながるはり材、５ａ〜５ｄは、床板材１の四隅において布板材２に取り付けられ、仮設足場を構成する横架材Ｓ、Ｓ１に引っ掛けて床板材１、布板材２、はり材３、４とともに水平姿勢に保持するつかみ金具である。
【００１７】
布板材２は、床板材１の幅方向の端部に折り返し加工を施すことにより形成された溝型断面形状等からなるものが用いられる。
【００１８】
はり材３、４は、床板材１の上面に固定された上側フランジ３ａ、４ａと、布板材２に固定された下側フランジ３ｂ、４ｂと、上側フランジ３ａ、４ａおよび下側フランジ３ｂ、４ｂをつなぎ合わせるウエブ３ｃ、４ｃから構成されている。はり材３、４のウエブ３ｃ、４ｃは、起立壁部と傾斜壁部からなるものを用いることが可能であり、その前面側に仮設足場の横架材を位置させることができるようになっている。
【００１９】
はり材３、４の、床板材１への固定は、溶接、あるいは、リベット等を用いるのが好ましいが、固定手段についてはとくに限定されない。はり材３、４は、単一のプレートに曲げ加工を施して形成することができる。
【００２０】
上側フランジ３ａ、４ａは、その上面がフラット面からなる延出先端部３ａ１、４ａ１および固定部３ａ２、４ａ２と、延出先端部３ａ１、４ａ１の後端、固定部３ａ２、４ａ２の先端とを相互につなぐ傾斜部３ａ３、４ａ３とを備えたもので構成され、延出先端部３ａ１、４ａ１の上面を、固定部３ａ２、４ａ２の上面よりも上方に１ｍｍ以上、５ｍｍ以下の範囲で位置するものとすることにより、階段枠Ｋ１の上部つかみ金具Ｋ１１がイレギュラーな位置であっても図１０に示すように、つかみ金具５ａ〜５ｄを横架材Ｓに引っ掛けた状態で該横架材Ｓの上方に隙間ｈを形成し、この隙間ｈを通して図１１に示すように階段枠Ｋ１の上部つかみ金具Ｋ１１を挿通させて横架材Ｓに引っ掛けるようにしてもよい。
【００２１】
床付き布わくのつかみ金具５ａ〜５ｄは、横架材Ｓに引っ掛けたとき、該つかみ金具５ａ〜５ｄが該横架材Ｓ、Ｓ１から簡単に外れることがないように外れ止め片５ａ１〜５ｄ１が設けられている。外れ止め片５ａ１〜５ｄ１のうち、つかみ金具５ａ、５ｄの外れ止め片５ａ１、５ｄ１については、その内側壁に回動可能に設けられており、他のつかみ金具５ｂ、５ｃの外れ止め片５ｂ１、５ｃ１は、その外側壁に回転可能に設けられている。対角線上に位置するつかみ金具５ａ、５ｄを湾曲された基部にて布板材２の外表面よりも内側に位置するように該布板材２に取り付け、つかみ金具５ｂ、５ｃをストレートな基部にて布板材２の外表面と同じレベルとなるように該布板材２に取り付けることにより、複数枚の床付き布わくをまっすぐに配列することができる。階段枠Ｋ１の上部つかみ金具Ｋ１１あるいは階段枠Ｋ２の下部つかみ金具Ｋ２１についても、横架材Ｓに引っ掛けたとき、該上部つかみ金具Ｋ１１、下部つかみ金具Ｋ２１が横架材Ｓから簡単に外れることがないように外れ止め片が設けられる。
【００２２】
また、符号６、７は、はり材３、４のうちのはり材３の上側フランジ３ａおよびウエブ３ｃの幅方向の両端部に設けられた切り欠き部である。切り欠き部６、７は、図４に示すように、いずれも階段枠Ｋ２の下部つかみ金具Ｋ２１および／または階段枠Ｋ１の上部つかみ金具Ｋ１１を位置させる幅寸法Ｌ１からなり、その切り欠き部６、７のうち、切り欠き部６は、幅寸法Ｌ１に加え、隣接配置される他の床付き布わくのつかみ金具の１つを位置させる幅寸法Ｌ２を有している（図１４参照）。本考案にしたがう床付き布わくは、はり材３、４のうちの片側のはり材３のみに切り欠き部６、７が設けられているところに特徴を有するものであって、はり４には、階段枠Ｋ２の下部つかみ金具Ｋ２１、階段枠Ｋ１の上部つかみ金具Ｋ１１を位置させるための幅寸法Ｌ１を有する切り欠き部は設けられることがないため、工具等の落下等を招く隙間が形成されることはなく安全性が担保される。なお、はり材３、４が、上掲図１０、図１１に示すようなものにあっては、切り欠き部６、７は、階段枠Ｋ２の下部つかみ金具Ｋ２１のみを位置させる幅寸法としてもよい。
【００２３】
また、符号８は、ウエブ３ｃ、４ｃに設けられた縦リブである。縦リブ８は、金型を使用したプレス成形によって形成することができるものであって、ウエブ３ｃ、４ｃの剛性を高め、上側フランジ３ａ、４ａを支える機能を有している。縦リブ８は、ここでは、正面視が菱形で、断面が三角形状になる三角リブを例として示したが、縦リブ８の形状は必要に応じて種々の形状に変更することができる。
【００２４】
また、符号９は、床板材１の長手方向で布板材２の相互間に差し渡されて該布板材２に固定された中間板である。中間板９は、床板材１の撓みと布板材２が下方に向けて開くのを防止する機能を有している。さらに、符号１０ａ、１０ｂは、はり材４の上側フランジ４ａおよびウエブ４ｃの幅方向の端部に設けられた切り欠き部である。切り欠き部１０ａは、隣接配置される床付き布わくのつかみ金具の1つのみを位置させる隙間を形成するものであり、切欠き部１０ｂは、つかみ金具５ｄを位置させる空間を形成するものである。
【００２５】
図１２は、本考案にしたがう床付き布わくを用いて構築された仮設足場の階段開口部において、下層階から中層階、中層階から上層階へ連続的に架け渡される階段枠Ｋ１、階段枠Ｋ２につき、その階段枠Ｋ２の下部つかみ金具Ｋ２１を中層階の横架材Ｓに引っ掛け、階段枠Ｋ１の上部つかみ金具１１を中層階の横架材Ｓに引っ掛けた状態を示した平面図（階段枠の踏板は図示せず）であり、図１３は、その側面を示した図である。
【００２６】
本考案にしたがう床付き布わくは、図１２、図１３に示すように、階段枠Ｋ２の下部つかみ金具Ｋ２１および／または階段枠Ｋ１の上部つかみ金具Ｋ１１を位置させ、仮設足場の中層階の横架材Ｓに該下部つかみ金具Ｋ２１、上部つかみ金具Ｋ１１を引っ掛けることができる切り欠き部６、７を有しているため、フラットタイプの床付き布わくを用いて構築された仮設足場においても、引っ掛けタイプの階段枠を容易に適用することができ、これにより、仮設足場の効率的な構築、解体が可能になる。
【００２７】
図１４は、本考案にしたがう床付き布わくを用いて構築された仮設足場の階段開口部において、階段枠Ｋ１の下部つかみ金具Ｋ１２を下層階の横架材Ｓ１に引っ掛けた状態を平面について示した図（階段枠の踏板は図示せず）であり、図１５は、その側面を示した図である。
【００２８】
本考案にしたがう床付き布わくは、図１４、図１５に示すように、床付き布わく同士が同じ横架材Ｓ１に引っ掛かった状態であっても、切り欠き部６、７を利用して引っ掛けタイプの階段枠を容易に取り付けることができる。
【産業上の利用可能性】
【００２９】
本考案によれば、横架材とはり材との間に形成される隙間をなくすことが可能で、かつ、横架材に階段枠の上部つかみ金具、下部つかみ金具を引っ掛けて固定できる引っ掛けタイプの階段枠の適用を可能とする床付き布わくが提供できる。
【符号の説明】
【００３０】
１                    床板材
１ａ、１ｂ            短辺
１ｃ、１ｄ            長辺
２                    布板材
３、４                はり材
３ａ、４ａ            上側フランジ
３ａ１、４ａ１        延出先端部
３ａ２、４ａ２        固定部
３ａ３、４ａ３        傾斜部
３ｂ、４ｂ            下側フランジ
３ｃ、４ｃ            ウエブ
５ａ〜５ｄ            つかみ金具
６、７                切り欠き部
８                    縦リブ
９                    中間板
１０a、１０ｂ         切り欠き部
Ｋ１、Ｋ２            階段枠
Ｋ１１                上部つかみ金具
Ｋ１２、Ｋ２１        下部つかみ金具
Ｓ、Ｓ１              横架材
【図１】
0003230795.tif 000003
【図２】
0003230795.tif 000004
【図３】
0003230795.tif 000005
【図４】
0003230795.tif 000006
【図５】
0003230795.tif 000007
【図６】
0003230795.tif 000008
【図７】
0003230795.tif 000009
【図８】
0003230795.tif 000010
【図９】
0003230795.tif 000011
【図１０】
0003230795.tif 000012
【図１１】
0003230795.tif 000013
【図１２】
0003230795.tif 000014
【図１３】
0003230795.tif 000015
【図１４】
0003230795.tif 000016
【図１５】
0003230795.tif 000017